(57)【要約】【課題】  画像処理装置における省エネルギーモードの動作状況をユーザに提供できるようにする。【解決手段】  電源オン時、画像処理装置が一定時間動作していない場合、装置は省エネルギーモードを開始し、その開始時刻をＮＶＲＡＭ４又は記憶装置１０に記録する。その後、省エネルギーモードが行われ電力を節約する。この間、省エネルギーモード解除要因（操作パネル６の操作、データ受信など、装置が動作すべき条件になった場合）が発生したか否かを常に監視する。省エネルギーモード解除要因が発生したら、装置は手動または自動で省エネルギーモードを解除して通常モードに復帰し、解除時刻をＮＶＲＡＭ４又は記憶装置１０に記録する。記録された動作状況は、手動又は自動で出力される。自動で出力する場合は、動作状況の記録時から一定期間経過後または記憶領域が一杯になったとき自動的に出力を行う。【選択図】  図１
2006142727.tif 000002
【特許請求の範囲】
【請求項１】
電源オン状態で所定の時間が経過すると省エネルギーモードが動作する画像処理装置であって、
前記省エネルギーモードの動作状況を記録する記録手段と、
前記記録した省エネルギーモードの動作状況を出力する出力手段とを備えたことを特徴とする画像処理装置。
【請求項２】
前記出力手段による前記記録した動作状況の出力を、手動または自動で行うことを特徴とする請求項１記載の画像処理装置。
【請求項３】
前記出力手段は、前記記録手段への動作状況の記録時から一定期間経過後または記憶領域が一杯になったとき自動的に前記出力を行うことを特徴とする請求項１又は２記載の画像処理装置。
【請求項４】
前記記録手段は、省エネルギーモードの動作状況として省エネルギーモードの開始時刻と解除時刻を記録することを特徴とする請求項１から３のいずれか１項に記載の画像処理装置。
【請求項５】
電源オン状態で所定の時間が経過すると省エネルギーモードが動作する画像処理装置の制御方法であって、
前記省エネルギーモードの動作状況を記録し、記録した省エネルギーモードの動作状況を出力できるようにしたことを特徴とする画像処理装置の制御方法。
【請求項６】
前記記録した前記動作状況の出力を、手動または自動で行えることを特徴とする請求項５記載の画像処理装置の制御方法。
【請求項７】
動作状況の記録時から一定期間経過後または記憶領域一杯になったとき前記記録した前記動作状況の出力を行うことを特徴とする請求項５又は６記載の画像処理装置の制御方法。
【請求項８】
前記省エネルギーモードの動作状況の記録は、省エネルギーモードの開始時刻と解除時刻を記録することを特徴とする請求項５から７のいずれか１項に記載の画像処理装置の制御方法。
【請求項９】
電源オン状態で所定の時間が経過すると省エネルギーモードが動作する画像処理装置で用いられるプログラムであって、
前記省エネルギーモードの動作状況を記録する記録処理と、
前記記録した省エネルギーモードの動作状況を、その記録時から一定期間経過後または記憶領域が一杯になったとき自動的に出力する出力処理とをコンピュータに実行させるプログラム。
【請求項１０】
請求項９記載のプログラムを記録したコンピュータ読み取り可能な記録媒体。
【発明の詳細な説明】
【技術分野】
【０００１】
本発明は、電源オン状態で所定の時間が経過すると省エネルギーモードが動作する画像処理装置及、その制御方法、プログラム及びコンピュータ読み取り可能な記録媒体に関するものである。
【背景技術】
【０００２】
従来より、使用頻度に応じて省エネルギーモードを機能させることで、省エネルギーモードによる省エネルギー効果を高めるようにした画像処理装置が提案されている（例えば、特許文献１，２参照）。
【特許文献１】特開２００１−３５０３７１号公報
【特許文献２】特開２００２−７７４７８号公報
【発明の開示】
【発明が解決しようとする課題】
【０００３】
前記従来の画像処理装置には次のような欠点があった。
ユーザは省エネルギーモードがいつどのように動作しているかを知ることが不可能であり、自ら設定した省エネルギーモードの効果を確認し、設定を見直すためのデータを取得する手段がなかった。
本発明は、省エネルギーモードの動作状況をユーザに提供できるようにすることを課題とする。
【課題を解決するための手段】
【０００４】
請求項１の発明による画像処理装置は、電源オン状態で所定の時間が経過すると省エネルギーモードが動作する画像処理装置であって、前記省エネルギーモードの動作状況を記録する記録手段と、前記記録した省エネルギーモードの動作状況を出力する出力手段とを備えたことを特徴とするものである。
請求項２の発明による画像処理装置は、請求項１において、前記出力手段による前記記録した動作状況の出力を、手動または自動で行うことを特徴とするものである。
請求項３の発明による画像処理装置は、請求項１又は２において、前記出力手段は、前記記録手段への動作状況の記録時から一定期間経過後または記憶領域が一杯になったとき自動的に前記出力を行うことを特徴とするものである。
請求項４の発明による画像処理装置は、請求項１，２又は３において、前記記録手段は、省エネルギーモードの動作状況として省エネルギーモードの開始時刻と解除時刻を記録することを特徴とするものである。
【０００５】
請求項５の発明による画像処理装置の制御方法は、電源オン状態で所定の時間が経過すると省エネルギーモードが動作する画像処理装置の制御方法であって、前記省エネルギーモードの動作状況を記録し、記録した省エネルギーモードの動作状況を出力できるようにしたことを特徴とするものである。
請求項６の発明による画像処理装置の制御方法は、請求項５において、前記記録した前記動作状況の出力を、手動または自動で行えることを特徴とするものである。
請求項７の発明による画像処理装置の制御方法は、請求項５又は６において、動作状況の記録時から一定期間経過後または記憶領域一杯になったとき前記記録した前記動作状況の出力を行うことを特徴とするものである。
請求項８の発明による画像処理装置の制御方法は、請求項５，６又は７において、前記省エネルギーモードの動作状況の記録は、省エネルギーモードの開始時刻と解除時刻を記録することを特徴とするものである。
【０００６】
請求項９の発明によるプログラムは、電源オン状態で所定の時間が経過すると省エネルギーモードが動作する画像処理装置で用いられるプログラムであって、前記省エネルギーモードの動作状況を記録する記録処理と、前記記録した省エネルギーモードの動作状況を、その記録時から一定期間経過後または記憶領域が一杯になったとき自動的に出力する出力処理とをコンピュータに実行させるものである。
請求項１０の発明によるコンピュータ読み取り可能な記録媒体は、請求項９記載のプログラムを記録したものである。
【発明の効果】
【０００７】
請求項１，５の発明によれば、ユーザに省エネルギーモードがいつどのように動作しているかを知らせることができ、ユーザは自ら設定した省エネルギーモードの効果を確認し、そのデータによって設定の見直しを計ることができる。
請求項２，６の発明によれば、ユーザに自動的に省エネルギーモード動作状況のデータを取得させることができ、ユーザはタイミングを見計らって手動でデータを取得する、というような煩わしい作業をしなくて良い。
請求項３，５，９，１０の発明によれば、ユーザに一定期間毎、または記憶領域が一杯になった時に自動的に省エネルギーモード動作状況のデータを取得させることができ、ユーザはいつも同じ条件でデータを取得することができる。また、記憶領域一杯でデータが途切れてしまったりすることが無い。
請求項４，８の発明によれば、省エネルギーモード動作状況として省エネルギーモードの開始時刻及び解除時刻を記録することができる。
【発明を実施するための最良の形態】
【０００８】
以下、本発明の実施の形態を図面と共に説明する。
図１は本発明の実施の形態による画像処理装置のハードウェア構成をに示す構成図である。
図１において、ＣＰＵ１は装置全体の制御を司るものであり、その制御下にＲＯＭ２、ＲＡＭ３、ＮＶＲＡＭ４、パネル制御部５と操作パネル６、エンジン制御部７とスキャン／プリントエンジン８、ディスクドライバ９と記憶装置１０、モデム１１、外部Ｉ／Ｆ１２、通信制御部１３がデータバス１４を介して接続されている。
【０００９】
ＲＯＭ２は、プログラムコード、フォント、及びその他の静的なデータが格納されている。ＲＡＭ３は、一時的な記憶場所として利用される。ＮＶＲＡＭ４は、不揮発性のデータを格納しておく。パネル制御部５と操作パネル６は、ユーザとのインターフェースを司る。エンジン制御部７とスキャン／プリントエンジン８は、イメージデータの入出力ユニットとして、紙原稿の読み取りと転写紙への印刷を実行する。ディスクドライバ９と記憶装置１０は、大量のイメージデータなどを蓄積したり、データベースの記憶場所として利用される。通信制御部１３は、イーサネット（登録商標）等のネットワーク１５に接続され、外部の機器との通信を可能とする。モデム１１は、公衆回線と接続され、外部の機器との通信を可能とする。外部Ｉ／Ｆ１２は、セントロニクスやＲＳ−２３２Ｃ等のインターフェースを用いてホスト外部の機器との通信を可能とする。データバス１４は、各種デバイス間及びＣＰＵ１とデバイス間の通信を可能とする。
【００１０】
上記構成による画像処理装置の基本動作について説明する。
図２は第１の実施の形態による省エネルギーモード動作状況記録に関するフローチャートである。
まず、電源オン時、装置の操作パネル６や、外部からのデータ受信等を行うためのモデム１１、外部I/F１２、通信制御部１３が一定時間動作していない場合、装置は省エネルギーモードを開始するため、不揮発性の記憶領域であるＮＶＲＡＭ４あるいは記憶装置１０に、省エネルギーモード開始時刻を記録する。その後、装置は実際に省エネルギーモードを開始し、電力を節約する。この間、省エネルギーモード解除要因（操作パネル６の操作、データ受信など、装置が動作すべき条件になった場合）が発生したか否かを常に監視しておく。省エネルギーモード解除要因が発生したら、装置は手動または自動で省エネルギーモードを解除して通常モードに復帰し、解除時刻をＮＶＲＡＭ４あるいは記憶装置１０に記録する。
【００１１】
第１の実施の形態によれば、省エネルギーモードがいつどのように動作しているかの動作状況を記録することが可能であり、この記録に基づいてユーザは自ら設定した省エネルギーモードの効果を確認し、そのデータによって設定の見直しを計ることができる。
【００１２】
図３は図２で記録された省エネルギーモードの動作状況をレポート形式で手動出力する時の第２の実施の形態によるフローチャートである。
ユーザが操作パネル６を使用して省エネルギーモード動作状況レポート出力を指示すると、装置は前記の記憶領域より既に記憶済みの省エネモード動作状況に関するデータを読み出し、レポート形式に整形し、出力する。ここでのレポート形式は文字形式、グラフ形式等、人が理解できるものであれば、特に規定しない。また、出力手段としても、記録紙に印字する、メールで送信する等、依頼者であるユーザの目に触れる手段であれば、特に規定はしない。
【００１３】
前記第１の実施の形態では、記録された省エネルギーモードの動作状況を見る場合、通常の手動出力に加え、自動出力も兼ね備えていないと、ある決まった条件を満たした時に自動的にデータを取得しておきたい、というユーザに対応できない。第２の実施の形態によれば、ユーザに自動的に省エネルギーモード動作状況のデータを取得させることができ、ユーザはタイミングを見計らって手動でデータを取得する、というような煩わしい作業をしなくてよいという効果がある。
【００１４】
図４は図２で記録された省エネルギーモードの動作状況をレポート形式で自動出力する時の第３の実施の形態によるフローチャートである。
ユーザが事前に希望した省エネルギーモード動作状況レポート出力条件（ある一定期間が経過したり、ＮＶＲＡＭ４あるいは記憶装置１０の記憶領域が一杯になった時など）を満たしたとＣＰＵ１が判断した場合、装置は省エネルギーモード動作状況レポートを出力するため、前記の記憶領域より、既に記憶済みの省エネモード動作状況に関するデータを読み出し、レポート形式に整形し、出力する。ここでもレポートの形式や、出力手段については手動出力の時と同様である。
【００１５】
前記第２の実施の形態では、自動出力の条件が定められていないので、ユーザの利便性を損なうことになるが、第３の実施の形態によれば、ユーザに一定期間毎、または記憶領域が一杯になった時に自動的に省エネルギーモード動作状況のデータを取得させることができるので、ユーザはいつも同じ条件でデータを取得することができる。また、記憶領域一杯でデータが途切れてしまったりすることを無くすことができる。
【００１６】
尚、図２、図３、図４のフローチャートに示す処理を、ＣＰＵ１が実行するためのプログラムは本発明によるプログラムを構成する。また、このプログラムを記録するＲＯＭ２等の記録媒体は、本発明によるコンピュータ読み取り可能な記録媒体を構成する。この記録媒体としては、半導体記憶装置や光学的及び／又は磁気的な記憶装置等を用いることができる。このようなプログラム及び記録媒体を、前述した実施の形態とは異なる構成のシステム等で用い、そこのＣＰＵで上記プログラムを実行させることにより、本発明と実質的に同じ効果を得ることができる。
【図面の簡単な説明】
【００１７】
【図１】本発明の実施の形態による画像処理装置の構成を示すブロック図である。
【図２】本発明の第１の実施の形態による動作を示すフローチャートである。
【図３】本発明の第２の実施の形態による動作を示すフローチャートである。
【図４】本発明の第３の実施の形態による動作を示すフローチャートである。
【符号の説明】
【００１８】
１    ＣＰＵ
２    ＲＯＭ
４    ＮＶＲＡＭ
５    パネル制御部
６    操作パネル
７    エンジン制御部
８    スキャン／プリントエンジン
１０    記憶装置
【図１】
2006142727.tif 000003
【図２】
2006142727.tif 000004
【図３】
2006142727.tif 000005
【図４】
2006142727.tif 000006